(57)【特許請求の範囲】
【請求項１】
導光板と、該導光板から出射する光を拡散又は集光させる光学シートと、前記導光板及び光学シートが積層収容される収容部とを備える照明装置において、
前記収容部は一面に開口部を有し、該開口部に対向する面の縁辺の少なくとも一辺が直線状である箱状をなし、
前記収容部の直線状の前記縁辺に沿って設けられ、前記光学シートを該収容部内で保持するための複数の保持部を備え、
前記光学シートには、前記保持部に対応し、該保持部が貫通する複数の孔部が形成してあり、
前記複数の保持部の前記光学シートに平行な断面の面積が、前記孔部の断面積より小さく、
前記孔部の断面積と前記保持部の前記断面の面積との差分は、一定ではなく、
前記保持部の一部の前記断面の面積に、他の保持部の前記断面の面積と異なるものが含まれ、
前記縁辺の中央付近に設けられた保持部の断面積が最大であること
を特徴とする照明装置。
【請求項２】
前記縁辺の中央付近に設けられた保持部に対応する孔部の断面積が最小であること
を特徴とする請求項１に記載の照明装置。
【請求項３】
前記縁辺の中央付近に設けられた保持部に対応する孔部の断面積と、前記保持部の前記断面の面積との差分が最小であること
を特徴とする請求項１に記載の照明装置。
【請求項４】
導光板と、該導光板から出射する光を拡散又は集光させる光学シートと、前記導光板及び光学シートが積層収容される収容部とを備える照明装置において、
前記収容部は一面に開口部を有し、該開口部に対向する面の縁辺の少なくとも一辺が直線状である箱状をなし、
前記収容部の直線状の前記縁辺に沿って設けられ、前記光学シートを該収容部内で保持するための複数の保持部を備え、
前記光学シートには、前記保持部に対応し、該保持部が貫通する複数の孔部が形成してあり、
前記複数の保持部の前記光学シートに平行な断面の面積が、前記孔部の断面積より小さく、
前記孔部の断面積と前記保持部の前記断面の面積との差分は、一定ではなく、
前記保持部の一部の前記断面の面積に、他の保持部の前記断面の面積と異なるものが含まれ、
前記縁辺の一端付近に設けられた保持部の断面積が最大であること
を特徴とする照明装置。
【請求項５】
前記縁辺の一端付近に設けられた保持部に対応する孔部の断面積が最小であること
を特徴とする請求項４に記載の照明装置。
【請求項６】
前記縁辺の一端付近に設けられた保持部に対応する孔部の断面積と、前記保持部の前記断面の面積との差分が最小であること
を特徴とする請求項４に記載の照明装置。
【請求項７】
前記保持部の前記断面は矩形状であること
を特徴とする請求項１から請求項６のいずれか一項に記載の照明装置。
【請求項８】
前記複数の保持部のうち、面積が最大のものの断面は矩形状であり、その他のものの断面は三角形状であること
を特徴とする請求項１から請求項６のいずれか一項に記載の照明装置。
【請求項９】
請求項１から請求項８のいずれか１項に記載の照明装置と、
前記導光板の一面側に設けられており、該導光板を介して入射される光を用いて画像を表示する表示パネルとを備えること
を特徴とする表示装置。
【発明の詳細な説明】
【技術分野】
【０００１】
本発明は、導光板と、該導光板から出射する光を拡散又は集光させる光学シートと、導光板及び光学シートが積層収容される収容部とを備える照明装置及び該照明装置を備える表示装置に関する。
【背景技術】
【０００２】
近年、液晶テレビジョンなどの表示装置が広く普及している。表示装置の中で代表的な液晶表示装置は、液晶パネルとバックライト（照明装置）により構成されている。液晶表示装置では、バックライトによる光を液晶パネルの一面に照射し、他面に映像が表示される。バックライトは、光源部、光源部からの光を内部で平面的に伝播させ、一面から出射する矩形板状の導光板、導光板の他面に固定される反射シート、導光板から出射した光を均一な輝度分布にする複数のシートからなる光学シート、一面が開口された箱状のバックライトシャーシを含む。バックライトシャーシは、光源部、導光板、反射シート及び光学シートを収容する。【０００３】
バックライトを構成する光学シートは導光板に、固定されている。光学シートの固定は、一般的には光学シートの周縁に設けられた孔部を、収納部底部の縁辺付近に設けたボスなどの保持部に係合することにより行う。【０００４】
また、特許文献１には、導光板端面に配置した反射シートを延在させて光出射主面を越える部位に引掛け部を設け、この引掛け部に対し反射シートの引出部を係止させて、反射シートを導光板に固定する表示装置が開示されている。
【先行技術文献】
【特許文献】
【０００５】
【特許文献１】特開２００２−３１１４３０号公報
【発明の概要】
【発明が解決しようとする課題】
【０００６】
ところで、近年、表示装置の大型化に伴い、各部材の外形寸法が大きくなっている。全体が大きくなっているため、寸法誤差が大きくなっている。また、光学シートに設けられる孔部と、それに対応する収納部に設けられる保持部の数も増大している。その半面、狭額縁化により保持部の断面積が小さくなっている。そのようなことから、孔部と保持部との位置ずれが発生し、光学シートを収納部に取り付ける際の作業性が悪いという問題が発生していた。【０００７】
本発明は、斯かる事情に鑑みてなされたものであり、その目的は、部材の寸法誤差が大きい場合であっても、光学シートの取り付け作業の作業性を向上した照明装置及び当該照明装置を備えた表示装置を提供することである。
【課題を解決するための手段】
【０００８】
本発明に係る照明装置は、導光板と、該導光板から出射する光を拡散又は集光させる光学シートと、前記導光板及び光学シートが積層収容される収容部とを備える照明装置において、前記収容部に設けられ、前記光学シートを該収容部内で保持するための複数の保持部を備え、前記光学シートには、前記保持部に対応し、該保持部が貫通する複数の孔部が形成してあり、前記複数の保持部の前記光学シートに平行な断面の面積が、前記孔部の断面積より小さく、前記孔部の断面積と前記保持部の前記断面の面積との差分は、一定ではないことを特徴とする。【０００９】
本発明にあっては、孔部の断面積と保持部の断面の面積との差分が一定ではないので、差分が小さいところの保持部から光学シートの孔部を貫通させていくことにより、寸法誤差による孔部と保持部との位置ずれが生じていても、光学シートの積載を作業性良く行うことが可能となる。【００１０】
本発明に係る照明装置は、前記保持部の一部の前記断面の面積に、他の保持部の前記断面の面積と異なるものが含まれることを特徴とする。【００１１】
本発明にあっては、複数の保持部の断面積は一律ではなく、保持部の一部の断面の面積に他の保持部の断面の面積と異なるものが含まれているので、断面積の大きい保持部から光学シートの孔部に貫通させることにより、孔部と保持部との位置ずれが生じていても、光学シートの積載を作業性良く行うことが可能となる。【００１２】
本発明に係る照明装置は、前記保持部の前記断面は矩形状であることを特徴とする。【００１３】
本発明にあっては、保持部の断面は矩形状としてあり、すなわち、保持部は四角柱状であるので通常の加工精度で成形加工を行うことが可能である。【００１４】
本発明に係る照明装置は、前記複数の保持部のうち、面積が最大のものの断面は矩形状であり、その他のものの断面は三角形状であることを特徴とする。【００１５】
本発明にあっては、断面積が最大の保持部以外は、断面が三角形状としてあるので、矩形状である場合に比べて、保持部を貫通させるのが容易となり、さらに作業性を向上させることが可能となる。【００１６】
本発明に係る照明装置は、前記収容部は一面に開口部を有し、該開口部に対向する面の縁辺の少なくとも一辺が直線状である箱状をなし、前記複数の保持部は直線状の前記縁辺に沿って設けてあり、前記縁辺の中央付近に設けられた保持部の断面積が最大であることを特徴とする。【００１７】
本発明にあっては、複数の保持部を直線上に並べてあり、中央付近の保持部の断面積が最大としてある。光学シートの孔部のうち、中央に位置するものを保持部に通し、その後、外側に向かって、順次孔部を保持部に通すことで光学シートを積載することができるので、作業性が良く積載をすることが可能となる。【００１８】
本発明に係る照明装置は、前記収容部は一面に開口部を有し、該開口部に対向する面の縁辺の少なくとも一辺が直線状である箱状をなし、前記複数の保持部は直線状の前記縁辺に沿って設けてあり、前記縁辺の一端付近に設けられた保持部の断面積が最大であることを特徴とする。【００１９】
本発明にあっては、複数の保持部を直線上に並べてあり、一端に位置する保持部の断面積が最大としてある。光学シートの孔部のうち、一端に位置するものを保持部に通し、その後、他端に向かって、順次孔部を保持部に通すことで光学シートを積載することができるので、作業性が良く積載をすることが可能となる。【００２０】
本発明に係る照明装置は、前記孔部の一部の断面積に、他の孔部の断面積と異なるものが含まれることを特徴とする。【００２１】
本発明にあっては、孔部の断面積は一律ではなく、孔部の一部の断面積に他の孔部の断面積と異なるものが含まれているので、断面積の小さい孔部から保持部に貫通させることにより、寸法誤差による孔部と保持部との位置ずれが生じていても、光学シートの積載を作業性良く行うことが可能となる。【００２２】
本発明に係る照明装置は、前記収容部は一面に開口部を有し、該開口部に対向する面の縁辺の少なくとも一辺が直線状である箱状をなし、前記複数の保持部は直線状の前記縁辺に沿って設けてあり、前記縁辺の中央付近に設けられた保持部に対応する孔部の断面積が最小であることを特徴とする。【００２３】
本発明にあっては、複数の保持部を直線上に並べてあり、それに対応する孔部も直線上に並ぶように形成してある。そして、中央付近に設けられた保持部に対応する孔部の断面積を最小としてある。中央に位置するものを保持部に通し、その後、外側に向かって、順次孔部を保持部に通すことで光学シートを積載することができるので、作業性が良く積載をすることが可能となる。【００２４】
本発明に係る照明装置は、前記収容部は一面に開口部を有し、該開口部に対向する面の縁辺の少なくとも一辺が直線状である箱状をなし、前記複数の保持部は直線状の前記縁辺に沿って設けてあり、前記縁辺の一端付近に設けられた保持部に対応する孔部の断面積が最小であることを特徴とする。【００２５】
本発明にあっては、複数の保持部を直線上に並べてあり、それに対応する孔部も直線上に並ぶように形成してある。そして、一端に位置する保持部に対応する孔部の断面積を最小としてある。一端に位置するものを保持部に通し、その後、他端に向かって、順次孔部を保持部に通すことで光学シートを積載することができるので、作業性が良く積載することが可能となる。【００２６】
本発明に係る照明装置は、前記収容部は一面に開口部を有し、該開口部に対向する面の縁辺の少なくとも一辺が直線状である箱状をなし、前記複数の保持部は直線状の前記縁辺に沿って設けてあり、前記縁辺の中央付近に設けられた保持部に対応する孔部の断面積と、前記保持部の前記断面の面積との差分が最小であることを特徴とする。【００２７】
本発明にあっては、複数の保持部を直線上に並べてあり、それに対応する孔部も直線上に並ぶように形成してある。そして、中央付近に設けられた保持部に対応する孔部の断面積と、当該保持部の断面の面積との差分を最小としてある。中央に位置するものを保持部に通し、その後、外側に向かって、順次孔部を保持部に通すことで光学シートを積載することができるので、作業性が良く積載をすることが可能となる。【００２８】
本発明に係る照明装置は、前記収容部は一面に開口部を有し、該開口部に対向する面の縁辺の少なくとも一辺が直線状である箱状をなし、前記複数の保持部は直線状の前記縁辺に沿って設けてあり、前記縁辺の一端付近に設けられた保持部に対応する孔部の断面積と、前記保持部の前記断面の面積との差分が最小であることを特徴とする。【００２９】
本発明にあっては、複数の保持部を直線上に並べてあり、それに対応する孔部も直線上に並ぶように形成してある。そして、一端に位置する保持部に対応する孔部の断面積と、当該保持部の断面の面積との差分を最小としてある。一端に位置するものを保持部に通し、その後、他端に向かって、順次孔部を保持部に通すことで光学シートを積載することができるので、作業性が良く積載することが可能となる。【００３０】
本発明に係る表示装置は、上記のいずれか一つの照明装置と、前記導光板の一面側に設けられており、該導光板を介して入射される光を用いて画像を表示する表示パネルとを備えることを特徴とする。【００３１】
本発明にあっては、断面積の大きい保持部から光学シートの孔部に貫通させることにより、孔部と保持部との位置ずれが生じていても、光学シートの積載を作業性良く行うことが可能となる。
【発明の効果】
【００３２】
本発明によれば、各部材の寸法誤差が大きくても、良好な作業性で光学シートを導光板に積載することが可能となる。
【図面の簡単な説明】
【００３３】
【図１】実施の形態１における液晶表示装置の外観を示す斜視図である。
【図２】実施の形態１に係る液晶表示装置の構成を示す分解斜視図である。
【図３】第１拡散シートの一例を示す斜視図である。
【図４】第１拡散シートの一部分を拡大した平面図である。
【図５】バック収容部の一例を示す斜視図である。
【図６】バック収容部の部分拡大斜視図である。
【図７】第１拡散シートが組み付けられた状態を説明するための部分平面図である。
【図８Ａ】光学シート保持部の形状を説明するための説明図である。
【図８Ｂ】光学シート保持部の形状を説明するための説明図である。
【図８Ｃ】光学シート保持部の形状を説明するための説明図である。
【図８Ｄ】光学シート保持部の形状を説明するための説明図である。
【図９Ａ】光学シート保持部の形状を説明するための説明図である。
【図９Ｂ】光学シート保持部の形状を説明するための説明図である。
【図９Ｃ】光学シート保持部の形状を説明するための説明図である。
【図９Ｄ】光学シート保持部の形状を説明するための説明図である。
【図１０】第１拡散シートが組み付けられた状態を説明するための部分平面図である。
【発明を実施するための形態】
【００３４】
以下に、本発明の実施の形態に係る照明装置、いわゆる液晶表示パネルを備える液晶表示装置に適用した場合を例として、図面に基づいて詳述する。
【００３５】
（実施の形態１）
図１は実施の形態１における液晶表示装置１００の外観を示す斜視図である。液晶表示装置１００は、液晶表示パネル２、バックライト（照明装置）１、フロント収容部３、スタンド４を含む。スタンド４は、液晶表示装置１００をテーブル等の平面に立てて載置するためのものである。
【００３６】
図２は本発明の実施の形態１に係る液晶表示装置１００の構成を示す分解斜視図である。スタンド４は記載を省略している。
【００３７】
フロント収容部３は矩形板状の枠体である。フロント収容部３は、開口部４１、額縁部４２を含む。バックライト１は液晶表示パネル（表示パネル）２へ光を照射する。液晶表示パネル２は矩形板状をなしている。液晶表示パネル２は背面側からバックライト１の光を受け、表側に画像を表示する。フロント収容部３は、液晶表示パネル２の周縁を表側から覆っている。
【００３８】
バックライト１は、導光板１１、反射シート１２、バック収容部（収容部）１３、光源部１４及び光学シート１５を含む。バック収容部１３は一面に開口部を有する箱状をなしている。開口部に対向する面を形成する底１３１は矩形状をなしている。
【００３９】
導光板１１は、例えば透明度の高い矩形のアクリル樹脂からなり、所定の厚みを有している。導光板１１は側面から入射される光を平面光に変えて、広面から出射する。
【００４０】
反射シート１２は、矩形状のシートである。反射シート１２は外部から入射した光を乱反射する。反射シート１２は導光板１１と略等しい寸法としてある。
【００４１】
光源部１４は、基板１４１と、基板１４１に並設された光源１４２，１４２，・・・１４２とを有している。光源１４２，１４２，・・・１４２は、例えば、発光ダイオード（ＬＥＤ：Ｌｉｇｈｔ Ｅｍｉｔｔｉｎｇ Ｄｉｏｄｅ）である。光源部１４は例えば電球、熱陰極蛍光灯、ＥＬ（Electro Luminescence）、冷陰極管等を用いて構成してもよい。
なお、光源部１４の位置は、導光板１１の前記一の側面の付近に限るものでなく、短辺の他の側面の付近であってもよく、長辺の側面の付近であってもよい。また、光源部１４を、一箇所のみでなく、複数箇所に設ける構成であっても良い。
【００４２】
光学シート１５は、光を拡散、集光等するためのシートである。例えば、光学シート１５は積層された複数のシートからなり、第１拡散シート１５１、第２拡散シート１５３並びに第１拡散シート１５１及び第２拡散シート１５３の間に介在するプリズムシート１５２を含む。
【００４３】
バックライト１は、図２に示すように、バック収容部１３に、反射シート１２、導光板１１、光学シート１５が順に積載収容されるとともに、光源部１４は、基板１４１に並設された光源１４２、１４２，…が、導光板１１の一側面に対向するように配される。
【００４４】
さらに、導光板１１に液晶表示パネル２が重ねられる。そして、フロント収納部３が液晶表示パネル２の表示面２１の周縁部を覆うようにして、バック収容部１３に固定されることにより、液晶表示装置１００が組み立てられる。
【００４５】
このように構成された液晶表示装置１００は、次のような動作により、液晶表示パネル２の表示面２１に画像を表示する。光源部１４の光源１４２、１４２…の発する光が、これら光源と対向する導光板１１の一側面から導光板１１に入射する。導光板１１に入射された光は導光板１１内部に形成されたパターンにより乱反射され、光学シート１５と対向する広面から出射される。導光板１１に入射した光の一部はバック収容部１３側に設けた反射シート１２により全反射され、光学シート１５と対向する広面から出射される。
【００４６】
導光板１１から出射された光は、第２拡散シート１５３により拡散され、プリズムシート１５２に入射する。プリズムシート１５２は入射した光を集光して液晶表示パネル２に向けて出射させる。プリズムシート１５２から出射される光は、プリズムシート１５２に対して垂直に第１拡散シート１５１へ入射される。第１拡散シート１５１は、プリズムシート１５２を介して入射される光を更に拡散させてより均一な輝度分布にして液晶表示パネル２に向けて出射させる。
【００４７】
第１拡散シート１５１から液晶表示パネル２に入射した光は液晶表示パネル２を構成する液晶により制御され、表示面２１に画像が形成される。なお、液晶表示パネル２と光学シート１５との間には偏光板（図示せず）が設けられている。
【００４８】
次に、光学シート１５について、より詳しく説明する。図３は第１拡散シート１５１の一例を示す斜視図である。以下の説明においては、第１拡散シート１５１について主に説明するが、第２拡散シート１５３及びプリズムシート１５２も同様である。第１拡散シート１５１は矩形状のシートである。第１拡散シート１５１の一長辺の縁（長手方向の一辺縁）には、耳部１５１ａが複数設けてある。耳部１５１ａは一長辺（辺縁）に沿って所定間隔で設けてあり、外側に張りだしている。耳部１５１ａは矩形状であり、第１拡散シート１５１の長手方向と平行な辺が長くなっている。各耳部１５１ａには矩形状の貫通孔１５１ｂがそれぞれ形成してある。
図３に示す例では、耳部１５１ａは７個設けられているが、一例にすぎない。第１拡散シート１５１の外形寸法に基づいて、耳部１５１ａの外形寸法及び並設間隔を適宜設計すれば良い。
【００４９】
図４は第１拡散シート１５１の一部分を拡大した平面図である。貫通孔１５１ｂは耳部１５１ａの長手方向について中央合わせされている。貫通孔１５１ｂは耳部１５１ａの短手方向について、略下合わせされている。図４に示す貫通孔１５１ｂの態様は一例にすぎない。貫通孔１５１ｂの寸法及び耳部１５１ａでの形成位置については、耳部１５１ａの外形寸法に基づいて、適宜設計すれば良い。
【００５０】
図５はバック収容部１３の一例を示す斜視図である。図６はバック収容部１３の部分拡大斜視図である。底１３１の直線状の縁辺の一つに沿って、所定の間隔で複数の光学シート保持部（保持部）１３４ａ乃至１３４ｄが設けてある。光学シート保持部１３４ａは側壁１３２に沿う方向の中央（縁辺の中央）に位置している。光学シート保持部１３４ａは、底１３１より略垂直に立ち上がっている。光学シート保持部１３４ａは四角柱状をなしている。すなわち、光学シート保持部１３４ａの断面は矩形状である。光学シート保持部１３４ａは、長手方向の側壁１３２から所定の距離をおいて形成してある。
【００５１】
光学シート保持部１３４ａの外側には、光学シート保持部１３４ｂがそれぞれ形成してある。さらに、光学シート保持部１３４ｂの外側には光学シート保持部１３４ｃが形成してある。そして、光学シート保持部１３４ｃの外側には光学シート保持部１３４ｄが形成してある。
【００５２】
光学シート保持部１３４ｂ乃至１３４ｄは光学シート保持部１３４ａと同様に底１３１より略垂直に立ち上がるように形成してある。光学シート保持部１３４ｂ乃至１３４ｄは三角柱状をなしている。すなわち、光学シート保持部１３４ｂ乃至１３４ｄの断面は三角形状である。
【００５３】
図７は第１拡散シート１５１が組み付けられた状態を説明するための部分平面図である。各耳部１５１ａに設けられた貫通孔１５１ｂは、バック収容部１３に設けられた光学シート保持部１３４ａ、１３４ｂ、１３４ｃ又は１３４ｄと係合している。それにより、第１拡散シート１５１はバック収容部１３に保持される。
【００５４】
光学シート保持部１３４ｂ乃至１３４ｄの断面は直角三角形状である。直角を形成する２辺のうち、長い方の一辺は側壁１３２と対向し、位置合わせがされている。すなわち、側壁１３２との距離が一定距離となっている。これらの辺は、光学シート保持部１３４ａの矩形状断面を構成し、側壁１３２と対向する辺とも位置合わせがされている。すなわち、光学シート保持部１３４ａ乃至１３４ｄの断面図形を構成し、側壁１３２と対向する辺は、一直線上に並んでいる。
【００５５】
上記直角を形成する２辺の他辺は、側壁１３２と交差する側壁１３３と対向している。光学シート保持部１３４ｂ乃至１３４ｄの断面となる直角三角形の斜辺は、バックライト１の内部側に位置している。
【００５６】
光学シート保持部１３４ａを挟んで位置する２つの光学シート保持部１３４ｂは、断面形状が線対称としてある。光学シート保持部１３４ｂの断面を構成し、側壁１３３と対向する直角三角形の直角をなす一辺は、光学シート保持部１３４ａと離れた側に位置している。直角三角形の角度が最も小さい内角が光学シート保持部１３４ａに最も近くなるように光学シート保持部１３４ｂを形成してある。直角三角形光学シート保持部１３４ｃ及び１３４ｄについても、光学シート保持部１３４ｂと同様である。
【００５７】
図８Ａは光学シート保持部１３４ａの形状を説明するための説明図である。図８Ｂは光学シート保持部１３４ｂの形状を説明するための説明図である。図８Ｃは光学シート保持部１３４ｃの形状を説明するための説明図である。図８Ｄは光学シート保持部１３４ｄの形状を説明するための説明図である。図８Ａから図８Ｄは貫通孔１５１ｂと各光学シート保持部１３４のみを示した平面図である。
【００５８】
図８Ａに示すように光学シート保持部１３４ａは平面視矩形状をなしている。すなわち、第１拡散シート１５１（光学シート１５）に平行な断面が矩形状である。光学シート保持部１３４ａ全体は四角柱状をなしている。
【００５９】
図８Ｂ、８Ｃ、８Ｄに示すように光学シート保持部１３４ｂ、１３４ｃ、１３４ｄは平面視三角形状をなしている。すなわち、第１拡散シート１５１（光学シート１５）に平行な断面が三角形状である。光学シート保持部１３４ｂ、１３４ｃ、１３４ｄ全体は三角柱状をなしている。これらの断面積は異なっており、光学シート保持部１３４ｂが最も断面積が大きく、その次は光学シート保持部１３４ｃであり、光学シート保持部１３４ｄの断面積が最も小さくなっている。光学シート保持部１３４ａの断面積は、光学シート保持部１３４ｂよりもさらに大きい。
【００６０】
第１拡散シート１５１をバック収容部１３に組み付ける際には、各耳部１５１ａを対応した貫通孔１５１ｂに順に係合させることにより行う。貫通孔１５１ｂのうち、第１拡散シート１５１の長手方向の略中央に位置する貫通孔１５１ｂに光学シート保持部１３４ａを貫通させ係合させる。次に、当該貫通孔１５１ｂの左右に位置する貫通孔１５１ｂに光学シート保持部１３４ｂを係合させる。以下は同様である。すなわち、第１拡散シート１５１の長手方向の中央から、左右の周縁方向に向かって順に、貫通孔１５１ｂに光学シート保持部１３４ａ等を貫通させていく。
【００６１】
上述したように、光学シート保持部１３４ａの断面積が最も大きく、光学シート保持部１３４ｂ、１３４ｃ、１３４ｄの順に断面積が小さくなっている。第１拡散シート１５１に形成してある貫通孔１５１ｂはすべて同一寸法にしてある。そのため、光学シート保持部１３４の断面積が小さいほど、貫通孔１５１ｂを係合しやすくなる。また、光学シート保持部１３４の断面積が小さいほど、光学シート保持部１３４と貫通孔１５１ｂとの位置ずれの許容範囲が広くなる。
【００６２】
光学シート保持部１３４ａ乃至１３４ｄは側壁１３２に対向する面は位置合わせがされているので、第１拡散シート１５１を確実に位置決めすることが可能となる。断面が直角三角柱状である光学シート保持部１３４ｂ乃至１３４ｄは、直角三角形の角度の最も小さい内角が光学シート保持部１３４ａの最も近くになるようにしてある。そのため、光学シート保持部１３４ａに対応した耳部１５１ａを係合させた後に、耳部１５１ａを容易に光学シート保持部１３４ｂに係合させることが可能となる。
【００６３】
したがって、光学シート保持部１３４ａ乃至１３４ｄとそれぞれに対応する貫通孔１５１ｂとの位置ずれが生じていても、作業性を落とすことなく第１拡散シート１５１をバック収容部１３に組み付けることが可能となる。
【００６４】
（実施の形態２）
実施の形態１では、平面視の面積が最大の光学シート保持部１３４ａは矩形状であり、その他の光学シート保持部１３４ｂから１３４ｄは平面視三角形状であったが、それに限られない。実施の形態２では、全ての光学シート保持部が平面視矩形状とする。実施の形態２では、光学シート保持部の形状が実施の形態１と相違し、その他の点は実施の形態１と同様である。以下は、異なる点を主として説明する。
【００６５】
図９Ａは光学シート保持部１３４ａの形状を説明するための説明図である。図９Ｂは光学シート保持部１３４ｂの形状を説明するための説明図である。図９Ｃは光学シート保持部１３４ｃの形状を説明するための説明図である。図９Ｄは光学シート保持部１３４ｄの形状を説明するための説明図である。図９Ａから図９Ｄは図８Ａから図８Ｄと同様に、貫通孔１５１ｂと各光学シート保持部１３４のみを示した平面図である。
【００６６】
図９Ａから図９Ｄに示すように、実施の形態２においては、光学シート保持部１３４ａ乃至１３４ｄの平面視形状は、矩形状である。しかしながら、面積は異なり、光学シート保持部１３４ａが最大で、光学シート保持部１３４ｄが最小となっている。光学シート保持部１３４ａ乃至１３４ｄの一面は実施の形態１と同様に位置合わせをしてある。すなわち、図９に示す光学シート保持部１３４ａ乃至１３４ｄの断面を構成する四角形の長辺の一方が一直線上に並ぶようにしてある。
【００６７】
このような光学シート保持部１３４ａ乃至１３４ｄを実施の形態１と同様にバック収容部１３に形成する。すなわち、実施の形態１と同様な位置に、光学シート保持部１３４ａ乃至１３４ｄを形成する。
【００６８】
実施の形態２における光学シート保持部１３４ａ乃至１３４ｄは、実施の形態１と比較して、断面形状が異なるが、断面積の関係は同様である。よって、実施の形態１と同様な効果を奏する。
【００６９】
光学シート保持部１３４ａ乃至１３４ｄのようなボスを形成する場合、その形状が三角柱状よりも、四角柱状の方が、成形加工性は高い。よって、実施の形態２は実施の形態１の奏する効果に加えて、光学シート保持部１３４ａ乃至１３４ｄの平面視形状を矩形状としたことにより、光学シート保持部１３４ａ乃至１３４ｄの成形加工性が高くなるという効果を奏する。
【００７０】
（実施の形態３）
実施の形態１では、中央付近に位置する光学シート保持部１３４ａから外側に向かって順に、貫通孔１５１ｂを貫通させている。実施の形態３では一方の端から他方の端を向かって、貫通させることとする。以下、実施の形態１と相違する点を主として、説明する。
【００７１】
図１０は第１拡散シート１５１が組み付けられた状態を説明するための部分平面図である。図１０に示すように、各光学シート保持部に付している英字は全て異なっている。すなわち、すべての光学シート保持部１３４ａ乃至１３４ｇは異なっていることを意味している。図１０において、最も左に位置する光学シート保持部１３４ａは、断面形状が矩形状としてある。つまり、光学シート保持部１３４ａは全体として四角柱状をなしている。光学シート保持部１３４ａ以外の６個の光学シート保持部１３４ｂから１３４ｇは、断面形状が三角柱状としてある。つまり、光学シート保持部１３４ｂから１３４ｇは全体として三角柱状をなしている。光学シート保持部１３４ｂから１３４ｇのそれぞれの三角形状の断面の面積は、互いに異なっている。光学シート保持部１３４ｂの断面積が最も大きく、図１０の右に向かうほど断面積が小さくなっている。光学シート保持部１３４ｇの断面積が最も小さい。そして、光学シート保持部１３４ｂの断面積は、光学シート保持部１３４ａの断面積より小さくなっている。
【００７２】
実施の形態１と同様に光学シート保持部１３４ｂ乃至１３４ｇの断面は直角三角形である。直角三角形の直角をなす２辺のうち長い辺は、位置合わせがされている。直角三角形の角度の最も小さい内角が、光学シート保持部１３４ａの近くに位置するように、光学シート保持部１３４ｂ乃至１３４ｇは形成してある。
【００７３】
図１０では左から右に向かって、第１拡散シート１５１の耳部１５１ａに設けた貫通孔１５１ｂに光学シート保持部を貫通させるようにしてある。第１拡散シート１５１の位置決めを、耳部１５１ａが形成された辺の一端、光学シート保持部側としている。
【００７４】
上述したような順番で、各光学シート保持部を対応する貫通孔１５１ｂに貫通させていけば、断面積の最も大きい光学シート保持部１３４ａから貫通孔１５１ｂに貫通され、最も断面積の小さい光学シート保持部１３４ｇが最後に貫通孔１５１ｂに貫通される。
【００７５】
実施の形態３は、実施の形態１が奏する効果に加えて、次のような効果を奏する。光学シートの位置決めを端部とした場合であっても、他端に向かうほど光学シート保持部の面積が小さくなっているので、光学シートの積載作業の作業性が向上する。
【００７６】
上述の実施形態１乃至３において、第１拡散シート１５１に設けた貫通孔１５１ｂの断面積を一定とし、各光学シート保持部の断面積を変化させていたが、それに限られない。光学シート保持部１３４ａ乃至１３４ｇの断面積は一定として、貫通孔１５１ｂの断面積を変えることとしても良い。また、光学シート保持部１３４ａ乃至１３４ｇ、貫通孔１５１ｂの両方の断面積を変えても良い。
【００７７】
実施の形態１の変形例として、次のようなものが考えられる。図５において、光学シート保持部１３４ａの断面積が最大で、光学シート保持部１３４ｄの断面積が最小である。光学シート保持部１３４ａは四角柱状、光学シート保持部１３４ｂ乃至１３４ｄは三角柱状である。
【００７８】
ここで、光学シート保持部１３４ａ及び１３４ｂは実施の形態１と同様な形状及び寸法とする。光学シート保持部１３４ｃ及び１３４ｄを光学シート保持部１３４ｂと略同一寸法とする。また、光学シート保持部１３４ａ及び光学シート保持部１３４ｂに対応する貫通孔１５１ｂの断面積を最小にする。そして、光学シート保持部１３４ｃに対応する貫通孔１５１ｂの断面積は、最小よりもやや大きくする。光学シート保持部１３４ｄに対応する貫通孔１５１ｂの断面積は、さらに大きくする。
【００７９】
以上のようにすることにより、光学シート保持部１３４ｂ乃至１３４ｄの断面積が略同一であっても、それに対応する貫通孔１５１ｂの断面積は、係合順に大きくなっていくので、寸法誤差が大きい場合であっても、第１拡散シート１５１を容易に組み付けることが可能となる。
【００８０】
実施の形態２の変形例として、次のようなものが考えられる。図９において、光学シート保持部１３４ａは変更しない。光学シート保持部１３４ｂ乃至１３４ｄを光学シート保持部１３４ａと同一形状、同一寸法とする。
【００８１】
一方、光学シート保持部１３４ｂ乃至１３４ｄに対応する貫通孔１５１ｂは、断面積を大きくしていく。光学シート保持部１３４ｂに対応する貫通孔１５１ｂは、光学シート保持部１３４ａに対応する貫通孔１５１ｂよりも、断面積を大きくする。さらに、光学シート保持部１３４ｃに対応する貫通孔１５１ｂの断面積は大きくする。光学シート保持部１３４ｄに対応する貫通孔１５１ｂの断面積はさら大きくする。
【００８２】
以上のようにすることにより、光学シート保持部の断面積が略同一であっても、それに対応する貫通孔１５１ｂは、光学シート保持部を係合させる順に孔が大きくなっていく。それにより、寸法誤差が大きい場合であっても、第１拡散シート１５１を容易に組み付けることが可能となる。
【００８３】
実施の形態３の変形例として、次のようなものが考えられる。図１０において、光学シート保持部１３４ｂ乃至１３４ｇはすべて異なる形状、寸法である。これを変更し、光学シート保持部１３４ｃ乃至１３４ｇをすべて、光学シート保持部１３４ｂと略同一形状とする。
【００８４】
一方、貫通孔１５１ｂについては、その断面積を変化させる。光学シート保持部１３４ａに対応する貫通孔１５１ｂの断面積を最小とし、光学シート保持部１３４ｂに対応する貫通孔１５１ｂの断面積は最小または最小よりも大きくする。さらに、光学シート保持部１３４ｃに対応する貫通孔１５１ｂの断面積を大きくする。同様に貫通孔１５１ｂの断面積を大きくしていき、光学シート保持部１３４ｇに対応する貫通孔１５１ｂの断面積を最大とする。
【００８５】
以上のようにすることにより、光学シート保持部の断面積が同一のものがあっても、それに対応する貫通孔１５１ｂは、光学シート保持部を係合させる順に孔が大きくなっていく。それにより、寸法誤差が大きい場合であっても、第１拡散シート１５１を容易に組み付けることが可能となる。
【００８６】
実施の形態３の他の変形例としては、次のようなものが考えられる。図１０において、光学シート保持部１３４ｂ乃至１３４ｇをすべて光学シート保持部１３４ａと略同一形状とする。
【００８７】
一方、貫通孔１５１ｂについては、その断面積を変化させる。光学シート保持部１３４ａに対応する貫通孔１５１ｂの断面積を最小とし、光学シート保持部１３４ｂ、１３４ｃ…、１３４ｇの順に対応する貫通孔１５１ｂの断面積を大きくしていく。光学シート保持部１３４ｇに対応する貫通孔１５１ｂの断面積が最大となる。
【００８８】
以上のようにすることにより、寸法誤差が大きい場合であっても、第１拡散シート１５１を容易に組み付けることが可能となる。
【００８９】
実施の形態１乃至３及びそれらの変形例で示したように、寸法誤差が大きい場合であっても、第１拡散シート１５１を容易に組み付けることを可能とするには、光学シート保持部の断面積と貫通孔１５１ｂの断面積との差分が、組み付ける順に大きくなるようにすれば良い。その実現方法としては、光学シート保持部の断面積を小さくしていく方法と、貫通孔１５１ｂの断面積を大きくしていく方法がある。また、光学シート保持部、貫通孔１５１ｂの両方の断面積を変える方法もある。
【００９０】
なお、断面積をどのくらいの割合で変化させていくかについては、見込まれる寸法誤差、位置決め精度等により、適宜設計する事項である。
一方、光学シート保持部と貫通孔１５１ｂとの数は同数としたが、それに限られない。光学シート保持部に係合しない貫通孔１５１ｂが設けてあっても良いし、貫通孔１５１ｂが係合しない光学シート保持部が設けてあっても良い。
【００９１】
上述した光学シートの組み付け方法は、いずれも、エッジライト方式のバックライトに適用した場合であるが、それに限られず、直下型方式のバックライトにも適用可能である。直下型方式のバックライトは、一面が開口された箱状のバックライトシャーシの底部に光源を配置し、それに拡散板、光学シートを積層したものである。エッジライト方式においては、バックライトシャーシが上述のバック収容部１３に、拡散板が導光板１１に対応する。したがって、バックライトシャーシに光学シートを組み付ける方式として、上述した実施の形態１乃至３の方式を採用することが可能である。
【００９２】
各実施の形態で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００９３】
１  バックライト（照明装置）
１１  導光板
１２  反射シート
１３  バック収容部（収容部）
１３１  底
１３２  側壁
１３３  側壁
１３４ａ、１３４ｂ、１３４ｃ、１３４ｄ、１３４ｅ、１３４ｆ、１３４ｇ  光学シート保持部（保持部）
１４  光源部
１５  光学シート
１５１  第１拡散シート
１５１ａ  耳部
１５１ｂ  貫通孔（孔部）
１５２  プリズムシート
１５３  第２拡散シート
２  液晶表示パネル（表示パネル）
３  フロント収容部
４  スタンド
１００  液晶表示装置
【図１】
0006043874.tif 000002
【図２】
0006043874.tif 000003
【図３】
0006043874.tif 000004
【図４】
0006043874.tif 000005
【図５】
0006043874.tif 000006
【図６】
0006043874.tif 000007
【図７】
0006043874.tif 000008
【図８Ａ】
0006043874.tif 000009
【図８Ｂ】
0006043874.tif 000010
【図８Ｃ】
0006043874.tif 000011
【図８Ｄ】
0006043874.tif 000012
【図９Ａ】
0006043874.tif 000013
【図９Ｂ】
0006043874.tif 000014
【図９Ｃ】
0006043874.tif 000015
【図９Ｄ】
0006043874.tif 000016
【図１０】
0006043874.tif 000017